(57)【要約】手持式電気手術器具は、ハンドピース（２）と電極アセンブリ（３）とを含む。電極アセンブリが、一つ以上の電極（１２）、（１３）と、ハンドピースに対して前極アセンブリを着脱可能にするコネクタ（８）、（９）とを含む。ハンドピースは、電池（４）と、無線周波出力を発生するＲＦ発振回路（３０）と、ＲＦ出力回路（５）と、電気手術器具のユーザーによって操作可能なスイッチング手段（７）を含む。制御回路（６）はＲＦ出力を制御するために供給され、スイッチング手段（７）から信号を受信し、それに応じて一つ以上のＲＦ出力を電極アセンブリ（３）へ供給する。ＲＦ出力回路は少なくとも一つの一次コイル（１４）と複数の二次コイル（１５），（１６），（１７）とを含む変圧器を含む。電極アセンブリ（９）上のコネクタが、一つ以上の電極に達するＲＦ出力を変調するために特定の二次コイルまたは二次コイルの組合せを物理的に選択することができる構成部品（２９）を含む。
2015519163.tif 000002
【特許請求の範囲】
【請求項１】
ハンドピース（手持部）と電極アセンブリとを備える手持式電気手術器具であって、前記電極アセンブリが、一つ以上の電極と、前記ハンドピースに対して前記電極アセンブリを着脱可能なコネクタとを含み、前記ハンドピースは、
ａ）電池と；
ｂ）無線周波出力を発生するＲＦ発振回路と；
ｃ１）少なくとも一つの一次コイルと複数の二次コイルとを含む変圧器を含むＲＦ出力回路と；
ｃ２）前記電気手術器具のユーザーによって操作可能なスイッチング手段と；および
ｄ）前記無線周波出力を制御する制御回路であって、前記スイッチング手段から信号を受信し、それに応じて一つ以上のＲＦ出力を前記ＲＦ出力回路へ供給できる制御回路とを含み；
前記電極アセンブリ上の前記コネクタが、前記一つ以上の電極に達するＲＦ出力を変更するために特定の二次コイルまたは二次コイルの組合せを物理的に選択することができる構成部品を含む； 
電気手術器具。
【請求項２】
前記コネクタが一つ以上のピンを含み、前記一つ以上のピンの特性が、特定の二次コイルまたは二次コイルの組合せの選択を可能にする；
請求項１に記載の電気手術器具。
【請求項３】
特定の二次コイルまたは二次コイルの組合せの前記選択を可能にする前記一つ以上のピンの特性はが、前記一つ以上のピンの位置を含む；
請求項２に記載の電気手術器具。
【請求項４】
特定の二次コイルまたは二次コイルの組合せの前記選択を可能にする前記一つ以上のピンの特性は、前記一つ以上のピンの長さを含む； 
請求項２に記載の電気手術器具。
【請求項５】
前記電極アセンブリ上の前記コネクタが複数の接点を含み、前記一つ以上のピンは、前記複数の接点の選択された組合せの間で電気的短絡を形成するようになされたジャンパーピンである； 
請求項３または請求項４に記載の電気手術器具。
【請求項６】
前記一つ以上のピンは、特定の二次コイルまたは二次コイルの組合せを選択する継電器の作用を可能にする；
請求項３または請求項４に記載の電気手術器具。
【請求項７】
ハンドピースと複数の電極アセンブリとを備える電気手術システムであって、前記電極アセンブリは少なくとも第一のタイプまたは第二のタイプの電極アセンブリであり、それぞれ一つ以上の電極と、前記電極アセンブリを前記ハンドピースに対して着脱可能なコネクタとを含み、前記ハンドピースが、
ａ）電池と；
ｂ）無線周波出力を発生するＲＦ発振回路と；
ｃ１）少なくとも一つの一次コイルと複数の二次コイルとを含む変圧器を含むＲＦ出力回路と；
ｃ２）前記電気手術器具のユーザーによって操作可能なスイッチング手段と； 
ｄ）前記無線周波出力を制御する制御回路であって、前記スイッチング手段から信号を受信し、それに応じて一つ以上の無線周波出力を前記ＲＦ出力回路へ供給できる制御回路とを備え； 
前記第一のタイプの電極アセンブリ上の前記コネクタが第一の構成部品を含み、前記第二のタイプの電極アセンブリ上の前記コネクタが第二の構成要素部品を含み、第一のタイプの電極アセンブリの場合に選択される前記特定の二次コイルまたは二次コイルの組合せが前記第二のタイプの電極アセンブリの場合に選択される前記特定の二次コイルまたは二次コイルの組合せとは異なるように、前記第一および第二の構成部品は、特定の二次コイルまたは二次コイルの組合せを物理的に選択することができる；
電気手術システム。
【請求項８】
ハンドピースと、前記ハンドピースに解放可能に接続できる電極アセンブリとを備える電気手術器具であって；
前記ハンドピースが、
ＲＦ信号源と；
前記ハンドピースを制御して前記ＲＦ信号源により駆動された無線周波（ＲＦ）信号を出力するためにユーザーによって操作可能な制御スイッチと； 
出力セレクタ回路構成と出力信号発生回路構成とを有する出力インターフェースとを備え；
前記出力セレクタ回路構成は、前記出力信号発生回路構成から得られる特性が異なるそれぞれの異なるＲＦ出力信号を受信し、前記ＲＦ信号源により駆動された前記ＲＦ信号を前記異なるＲＦ出力信号に適合させ、
前記電極アセンブリは：
ＲＦ治療信号を組織に適用する場合に組織の治療のためのエンドエフェクタを形成する一つ以上の電極と；
前記出力インターフェースからの利用可能な前記異なるＲＦ出力信号のうちの一つを前記ＲＦ治療信号として選択するために前記出力インターフェース内の前記出力セレクタ回路構成と相互接続するように構成された入力インターフェース回路構成とを備える；
電気手術器具。
【請求項９】
前記出力インターフェース内の前記出力信号発生回路構成が変圧器を備え、前記変圧器は一次コイルと複数の二次コイルとを含み、前記複数の二次コイルはそれぞれ異なるＲＦ出力信号を供給する；
請求項８に記載の電気手術器具。
【請求項１０】
前記二次コイルの巻数はそれぞれ異なる；
請求項９に記載の電気手術器具。
【請求項１１】
前記出力セレクタ回路構成が複数の制御入力端子を有し、前記入力インターフェース回路構成が前記出力セレクタ回路構成内の前記制御入力端子のうちの選択された一つと接触し、前記ＲＦ治療信号としての使用するために前記出力セレクタ回路構成に利用可能な前記異なる無線周波出力信号のうちの所望の一つを出力させるように位置決めされた電気接点を含む；
請求項８乃至請求項１０のいずれか一項に記載の電気手術器具。
【請求項１２】
前記出力セレクタ回路構成が継電器である；
請求項１１に記載の電気手術器具。
【請求項１３】
前記出力セレクタ回路構成が、利用可能な前記異なる無線周波出力信号にそれぞれ対応する複数の出力端子を備え、前記入力インターフェース回路構成が、前記複数の出力端子のうちの所望の一つに接触し、前記ＲＦ治療信号として使用するためにそれに対応する前記無線周波出力信号を得るように位置決めされた電気接点を備える；
請求項８乃至請求項１０のいずれか一項に記載の電気手術器具。
【発明の詳細な説明】
【技術分野】
【０００１】
本発明は、組織の治療に使用する電気手術器具及び電気手術システムに関する。こうしたシステムは、より伝統的な「直視下」手術（「オープン」サージェリ）に使用されると同様に、内視鏡手術または「鍵穴」手術（「キーホール」サージェリ）にも使用される。
【背景技術】
【０００２】
電気手術システムの多くは何らかの形の識別システムを有している。電気手術器具を電気手術用電力生成器に接続すると、電力生成器は今どのタイプの器具があるのかを検出し、場合によってはその特定の器具または器具のタイプに適する、例えば電力および電圧の設定のような設定を用いることができるようになっている。他の種類も知られてはいるが、本出願人の米国特許第６，０７４，３８６号（特許文献１参照）は、このような識別システムの一例である。
【発明の概要】
【発明が解決しようとする課題】
【０００３】
本発明は、そうした識別システムの代替を提供しようとするものである。電気手術システムの一部として用いられる電力生成器を実質的に簡素化できるようにする。これは、手持式電気手術器具を提供しようとする際に、とりわけ重要である。
【課題を解決するための手段】
【０００４】
手持式電気手術器具はハンドピース（手持部）と電極アセンブリとを備える。前記電極アセンブリが、一つ以上の電極と、前記ハンドピースに対して前記電極アセンブリを着脱可能なコネクタとを含み、前記ハンドピースは、
ａ）電池と；
ｂ）無線周波出力を発生するＲＦ発振回路と；
ｃ１）少なくとも一つの一次コイルと複数の二次コイルとを含む変圧器を含むＲＦ出力回路と； 
ｃ２）前記電気手術器具のユーザーによって操作可能なスイッチング手段と； 
ｄ）前記無線周波出力（ＲＦ出力ともいう）を制御する制御回路であって、前記スイッチング手段から信号を受信し、それに応じて一つ以上のＲＦ出力を前記ＲＦ出力回路へ供給できる制御回路とを含み； 
前記電極アセンブリ上の前記コネクタが、前記一つ以上の電極に達する前記ＲＦ出力を変更させるために特定の二次コイルまたは二次コイルの組合せを物理的に選択することができる構成部品を含む。
【０００５】
好ましくは、コネクタは一つ以上のピンを含み、前記一つ以上のピンの特性が、特定の二次コイルまたは二次コイルの組合せの選択を可能にする。この構成は、電力生成器が、それに接続された器具を識別できるようにコネクタ上のピンを利用するようにした、係属中の米国特許出願第２０１０／０３０５５６３号に開示された識別システムの構成とは異なる。本構成において、ピンは器具を識別するというよりはむしろ、物理的に二次コイルまたはコイルの組合せを選択するのである。
【０００６】
特定の二次コイルまたは二次コイルの組合せの前記選択を可能にする前記一つ以上のピンの特性は、前記一つ以上のピンの位置を含む。代替として、特定の二次コイルまたは二次コイルの組合せの前記選択を引き起こす前記一つ以上のピンの特性は、前記一つ以上のピンの長さを含む。
【０００７】
何れの態様においても、一つ以上のピンは「ジャンパ」として動作し、その位置または長さに応じてハンドピース内での電気的な接続および切断を行うことができる。この接続（または無接続）により、特定の二次コイルまたは二次コイルの組合せが選択される。こうして、ＲＦ出力回路から生成されたＲＦ波形は、ハンドピースに接続される特定の電極アセンブリに適するように選択される。
【０００８】
好ましい態様によれば、前記電極アセンブリ上の前記コネクタが複数の接点を含み、前記一つ以上のピンは、前記複数の接点の選択された組合せの間で電気的短絡を形成するようになされたジャンパーピンである。代替として、前記一つ以上のピンは、特定の二次コイルまたは二次コイルの組合せを選択する継電器の作用を可能にする。
上記と同様、位置または長さに応じてハンドピース内での電気的な接続および切断を行う一つ以上のピンによって継電器を起動することができる。
【０００９】
本発明の他の態様、実施形態における電気手術器具は、ハンドピースと、前記ハンドピースへ解放可能に接続できる電極アセンブリとを備え、前記ハンドピースが、ＲＦ信号源と、前記ハンドピースを制御して前記ＲＦ信号源から駆動された無線周波（ＲＦ）信号を出力するためにユーザーによって操作可能な制御スイッチと、出力セレクタ回路構成と出力信号発生回路構成とを有する出力インターフェースとを備え、前記出力セレクタ回路構成は、前記出力信号発生回路構成から得られる異なる特性を持つそれぞれの異なるＲＦ出力信号を受信し、前記ＲＦ信号源から駆動された前記ＲＦ信号を前記異なるＲＦ出力信号に適合させ、前記電極アセンブリは、ＲＦ治療信号を組織に適用する場合に組織の治療のためのエンドエフェクタ（先端施術部）を形成する一つ以上の電極と、前記出力インターフェースからの利用可能な異なるＲＦ出力信号のうちの一つを前記ＲＦ治療信号として選択するために前記出力インターフェース内の前記出力セレクタ回路構成と相互接続するように構成された入力インターフェース回路構成とを備える。
【００１０】
上記構成によれば、タイプの異なるエンドエフェクタを使用するために多数の異なる出力を好適に供給できるハンドピースが得られる。更に、ハンドピース出力インターフェースと電極アセンブリ入力インターフェースとの相互作用により、エンドエフェクタに適するＲＦ出力を自動的に選択できるようになる。
【００１１】
一の実施の形態において、出力インターフェース内の出力信号発生回路構成は、好ましくは、一次コイルと複数の二次コイルとを含む変圧器を備え、複数の二次コイルはそれぞれ異なるＲＦ出力信号を提供する。多数の二次コイルを有する変圧器を使用することは、信号特性が異なる多数の出力信号を生成するのに便利な方法である。この点で、二次コイルは巻数がそれぞれ異なるのが好ましい。
【００１２】
一の実施の形態において、前記出力セレクタ回路構成が複数の制御入力端子を有し、前記入力インターフェース回路構成が前記出力セレクタ回路構成内の前記制御入力端子のうちの選択された一つと接触し、前記ＲＦ治療信号として使用するために前記出力セレクタ回路構成に利用可能な前記異なるＲＦ出力信号のうちの所望の一つを出力させるように位置決めされた電気接点を含む。特に、出力セレクタ回路構成は継電器であってもよい。
【００１３】
代替の実施の形態では、出力セレクタ回路構成が、利用可能で異なるＲＦ出力信号にそれぞれ対応する複数の出力端子を備える。入力インターフェース回路構成が電気接点を備え、この電気接点は、複数の出力端子のうちの所望の一つに接触して、ＲＦ治療信号として使用するためにそれに対応する前記ＲＦ出力信号を得るように位置決めされている。両構成とも、電気接点の物理的位置に基づく好適な出力選択を提供する。
【００１４】
本発明の代替の態様における電気手術システムは、ハンドピースと複数の電極アセンブリとを備え、前記電極アセンブリは少なくとも第一のタイプまたは第二のタイプの電極アセンブリであり、それぞれ一つ以上の電極と、前記電極アセンブリを前記ハンドピースに対して着脱可能なコネクタとを含み、前記ハンドピースが、
ａ）電池と；
ｂ）無線周波出力を発生するためのＲＦ発振回路と；
ｃ１）少なくとも一つの一次コイルと複数の二次コイルとを含む変圧器を含むＲＦ出力回路と；
ｃ２）前記電気手術器具のユーザーによって操作可能なスイッチング手段と； 
ｄ）前記無線周波出力（ＲＦ出力ともいう）を制御する制御回路であって、前記スイッチング手段から信号を受信し、それに応じて一つ以上のＲＦ出力を前記ＲＦ出力回路へ供給できる制御回路とを備え；、
前記第一のタイプの電極アセンブリ上の前記コネクタが第一の構成部品を含み、前記第二のタイプの電極アセンブリ上の前記コネクタが第二の構成部品を含み、前記第一および第二の構成部品は、第一のタイプの電極アセンブリの場合に選択される前記特定の二次コイルまたは二次コイルの組合せが前記第二のタイプの電極アセンブリの場合に選択される前記特定の二次コイルまたは二次コイルの組合せとは異なるように、特定の二次コイルまたは二次コイルの組合せを物理的に選択することができる。
【００１５】
こうして、ＲＦ出力回路を変えることにより、第一のタイプの電極アセンブリまたは第二のタイプの電極アセンブリのいずれかに適するＲＦ波形を、各タイプの電極アセンブリのコネクタ内にある特徴的な構成部品に応じて提供することができる。これは、ハンドピースに取り付けた特定タイプの電極アセンブリを識別しそれに応じて出力を調節するように対応する動作をとらなければならないハンドピースにより実現するよりはむしろ、所望出力の生成に必要な特定の二次コイルまたは二次コイルの組合せを物理的に選択する構成部品によって実現できる。
【００１６】
第一のタイプの電極アセンブリ（例えば切断ニードル）の場合、一つ以上のピンは、例えば好適な切断電圧を生成するために二次コイルを選択するようなピンである。第二のタイプの電極アセンブリ（例えば一対の凝固ジョー）の場合、一つ以上のピンの位置または長さが異なり、それにより、異なる二次コイルを選択し、組織の凝固により適する異なる出力を生成する。
【図面の簡単な説明】
【００１７】
本発明を、以下の添付図面を参照し、単なる一例として詳細に説明する。
【図１】本発明による手持式電気手術器具の概略図である。
【図２】本発明による別の手持式電気手術器具の概略図である。
【図３】図１の手持式電気手術器具用のＲＦ出力回路とコネクタの概略図である。
【図４】図１の手持式電気手術器具用の別のＲＦ出力回路とコネクタの概略図である。
【図５】図２の手持式電気手術器具用のＲＦ出力回路とコネクタの代替の実施の形態の概略図である。
【図６】図２の手持式電気手術器具用のＲＦ出力回路とコネクタの別の代替の実施の形態の概略図である。
【図７】図２の手持式電気手術器具用のＲＦ出力回路とコネクタのさらに別の代替の実施の形態の概略図である。
【発明を実施するための形態】
【実施例１】
【００１８】
図１は、全体を符号１で示され、ハンドピース２と、電極アセンブリ３とを備える手持式電気手術器具を示す。ハンドピース２は、電池４と、ＲＦ発振回路３０と、ＲＦ出力回路５と制御回路６とを含む。
ハンドピースは、制御回路６に指令を与えるためのハンドスイッチ７を具備する。ハンドピースは、電極アセンブリ３が担持する対応する電極アセンブリコネクタ９と係合するハンドピースコネクタ８を含む。電極アセンブリは、長尺シャフト１０と、そのシャフトの遠端にあるエンドエフェクタ１１とを含む。図１において、電極アセンブリは、エンドエフェクタ１１が一対のジョー（あご）１２を備えている。リード線（図示せず）が電極アセンブリ３のシャフト１０に沿って配線され、ＲＦ回路をエンドエフェクタ１１に接続することにより、ジョー１２が、組織を凝固できる電極を構成するようになっている。  
【００１９】
図２は、ハンドピース２を別の電極アセンブリ３’とともに示す。電極アセンブリ３’はコネクタ９’を有し、電極アセンブリ３’のエンドエフェクタ１１’が、展開可能な切断ニードル１３を備える。ここでも、リード線（図示せず）が電極アセンブリ３’のシャフト１０’に沿って配線され、ＲＦ回路をエンドエフェクタ１１’に接続することにより、切断ニードル１３が、組織を切断可能な電極を構成するようになっている。
【００２０】
図３は、ＲＦ出力回路３と、コネクタ８および９とを示す。ＲＦ出力回路３は、一次コイル１４と、３つの二次コイル１５、１６および１７とを含む。二次コイルの巻数はそれぞれ異なっており、どの二次コイルが選択されるかによって異なる発生信号が生成されるようになっている。二次コイルは、電源（図示せず）によって駆動される継電器１８に接続され、継電器は、入力線１９、２０および２１からの信号に応答して特定の二次コイルを選択することができるようになっている。
【００２１】
ハンドピースコネクタ８は、ＲＦ出力線２２および２３を含み、これらのＲＦ出力線は接点３１および３２で終わっている。ハンドピースコネクタは、それぞれ入力線１９、２０および２１に接続された接点２４、２５および２６を更に含む。電極アセンブリコネクタ９は、ＲＦ接続２７および２８を含み、これらの接続はコネクタ８とコネクタ９とを接続するとＲＦ出力線２２および２３係合する。電極アセンブリコネクタは、コネクタ８と９とを接続すると接点２４、２５または２６のうちの一つと接触するように位置決めされた接触ピン２９を更に含む。
【００２２】
図１の凝固用電極アセンブリを考慮されたい。コネクタ８とコネクタ９とを係合させると、接触ピン２９が接点２４と接触し、線１９を介して継電器１８に信号を送る回路ができ、それによって二次コイル１５が選択されて一次コイル１４と共に変圧器の一部を形成する。その結果、組織凝固に適するＲＦ波形がＲＦ出力線２２および２３に供給される。
【００２３】
図４は、図２の組織切断電極アセンブリが採用された場合のＲＦ出力回路３とコネクタ８およびコネクタ９’とを示す。構成部品は全て、図３を参照して説明したものと同一であるが、例外は、接触ピン２９’が異なる位置にあることである。接触ピン２９’のこの位置は、コネクタ８とコネクタ９’とが互いに係合すると、それが接点２４よりむしろ接点２５と接触することを意味している。接点２５で出来上がった回路は信号を継電器１８に送り、二次コイル１６を選択して一次コイル１４と共に変圧器の一部を形成する。その結果、組織切断に適するＲＦ波形がＲＦ出力線２２および２３に供給される。
【００２４】
こうして、継電器１８により選ばれる二次コイルはケースごとに異なるため、エンドエフェクタ１１および１１’に供給されるＲＦ出力の電圧は異なったものになる。従って、ハンドピース自体の簡素さを保ったまま、ＲＦ出力を、ハンドピース２と共に使用する特定の電極アセンブリに適合させることができる。
【実施例２】
【００２５】
図５は、継電器１８を省略した代替の実施の形態を示す。一次コイル１４と二次コイル１５、１６および１７とは、先に説明したものと同様であり、出力線２２および２３と、ＲＦ接続２７および２８も先に説明したものと同様である。二次コイル１５、１６および１７のそれぞれの一端側は、それぞれ線３３、３４および３５を介して出力線２２に接続される。ハンドピースコネクタ８は、後で説明するように、追加の接点３６、３７、３８および３９を更に有し、電極アセンブリコネクタ９は、対応する接点４０、４１、４２および４３を有する。
【００２６】
出力線２３は、上記と同様に接点３２に接続されるが、この実施の形態では、コネクタ８の接点３６にも接続される。
【００２７】
二次コイル１５の他端側は、線４４を介して接点３７に接続される一方、二次コイル１６の他端側は、線４５を介して接点３８に接続され、二次コイル１７の他端側は、線４６を介して接点３９に接続される。コネクタ９では、ジャンパーピン４７が接点４０と接点４１を短絡しており、コネクタ９がコネクタ８と係合すると、二次コイル１５は、ＲＦ出力線２２および２３間を導通するように構成される。
【００２８】
図６は、ジャンパーピン４７’が接点４０と接点４２とを短絡する代替のコネクタ９’を示す。この場合、コネクタ９’がコネクタ８と係合すると、二次コイル１６は、ＲＦ出力線２２および２３間を導通するように配置される。同様に、図７は、ジャンパーピン４７”が接点４０と接点４３を短絡する代替のコネクタ９”を示す。この場合、コネクタ９”がコネクタ８と係合すると、二次コイル１７は、ＲＦ出力線２２および２３間を導通するように配置される。コネクタ内に存在するジャンパーピンのタイプに応じて、異なる二次コイルがハンドピースの出力ステージの一部として使用されるために選択され、生成されるＲＦ出力がその時に採用された特定のタイプの電極アセンブリに合うようになっている。従って、ハンドピース自体の簡素さを保ったまま、ＲＦ出力を、ハンドピース２と共に使用する特定の電極アセンブリに適合させることができる。
【００２９】
上記の実施の形態に対し、その様々な構成要素部品を追加、除去、または置換によって様々な変更を行って追加の実施の形態を提供してもよく、それらはいずれも、そしてすべてが、付帯する請求項に包含されることになろう。
【符号の説明】
【００３０】
１    手持式電気手術器具
２    ハンドピース
３，３’  電極アセンブリ
４    電池
５    ＲＦ回路
６    制御回路
７    ハンドスイッチ
８    ハンドピースコネクタ
９，９’ ，９”  電極アセンブリコネクタ
１０  シャフト
１１，１１’  エンドエフェクタ
１２  ジョー
１３  切断ニードル
１４  一次コイル
１５〜１７  二次コイル
１８  継電器
１９〜２１  入力線
２２，２３  出力線
２４〜２６  接点  
２７，２８  ＲＦ接続
２９，２９’  接触ピン
３１，３２  入力線
３３〜３５  線
３６〜４３  接点
４４〜４６  線
４７，４７’  ジャンパーピン
【図１】
2015519163.tif 000003
【図２】
2015519163.tif 000004
【図３】
2015519163.tif 000005
【図４】
2015519163.tif 000006
【図５】
2015519163.tif 000007
【図６】
2015519163.tif 000008
【図７】
2015519163.tif 000009
【国際調査報告】
2015519163.tif 000010
2015519163.tif 000011
2015519163.tif 000012